(57)【特許請求の範囲】
【請求項１】
床上に配置され前後に細長な形状をなすベース部に起立部を起立させた脚要素と、ベース部の先端側の側壁を抱くようにして装着される樹脂製のカバー部材とを具備してなるものにおいて、
前記起立部のベース部が延び出す側を向く起立壁の所定高さ位置に開口部を形成するとともに、カバー部材に前記開口部と係り合う弾性爪を設け、該弾性爪の上端をカバー部材の後端の上縁よりも下方に位置づけていることを特徴とする脚付家具。
【請求項２】
弾性爪が、上下方向に弾性変形可能なものであり、前記開口部の開口上縁と係り合うようにしていることを特徴とする請求項１記載の脚付家具。
【請求項３】
カバー部材を一体成形によりなるものとし、後端部に弾性爪を保持する保持部を下方に向けて形成していることを特徴とする請求項２記載の脚付家具。
【請求項４】
保持部が、カバー部材の側壁間において上壁に設けられその上縁よりも後方に後端部を位置づけた一対の側板と、これら側板の後端部間を接続する後板とを具備し、この後板の上端部に、前上方に向けて延びるとともに先端部を前下方に屈曲させた弾性爪を一体に形成していることを特徴とする請求項３記載の脚付家具。
【請求項５】
弾性爪を開口部に係り合わせた状態で、ベース部とカバー部材との間に、相互に係り合いカバー部材の脱落を防止する抜け止め部を形成していることを特徴とする請求項１、２、３又は４記載の脚付家具。
【請求項６】
カバー部材の側壁の後端部を、上壁の後端部よりも後方に向けて延ばしていることを特徴とする請求項１、２、３、４又は５記載の脚付家具。
【請求項７】
カバー部材の上壁に下方に向けて突出するとともにその上壁の長手方向に延びベース部に装着した状態でベース部に突き当たるリブを形成し、そのリブの後端を、側面視部分円弧状に湾曲させてなることを特徴とする請求項１、２、３、４、５又は６記載の脚付家具。
【請求項８】
床上に配置され前後に細長な形状をなすベース部に起立部を起立させた脚要素と、ベース部の先端側の側壁を抱くようにして装着される樹脂製の一体成形によりなるカバー部材とを具備してなるものにおいて、
前記起立部のベース部が延び出す側を向く起立壁の所定高さ位置に開口部を形成するとともに、前記カバー部材の後端部に保持部を下方に向けて形成し、
該保持部が、カバー部材の側壁間において上壁に設けられその上縁よりも後方に後端部を位置づけた一対の側板と、これら側板の後端部間を接続する後板とを具備し、
前記後板の上端部に、カバー部材の後端側の上縁よりも下方に位置づけて前記開口部の開口上縁と係り合う弾性爪を一体に形成し、該弾性爪を前上方に向けて延びるとともに先端部を前下方に屈曲させ上下方向に弾性変形可能なものとしていることを特徴とする脚付家具。
【請求項９】
床上に配置され前後に細長な形状をなすベース部に起立部を起立させた脚要素と、ベース部の先端側の側壁を抱くようにして装着される樹脂製のカバー部材とを具備してなるものにおいて、
前記起立部のベース部が延び出す側を向く起立壁の所定高さ位置に開口部を形成するとともに、カバー部材にその後端側の上縁よりも下方に位置づけて開口部の開口上縁と係り合う上下方向に弾性変形可能な弾性爪を設け、
該弾性爪を開口部に係り合わせた状態で、ベース部とカバー部材との間に、相互に係り合いカバー部材の脱落を防止する抜け止め部を形成していることを特徴とする脚付家具。
【請求項１０】
床上に配置され前後に細長な形状をなすベース部に起立部を起立させた脚要素と、ベース部の先端側の側壁を抱くようにして装着される樹脂製のカバー部材とを具備してなるものにおいて、
前記起立部のベース部が延び出す側を向く起立壁の所定高さ位置に開口部を形成するとともに、カバー部材にその後端側の上縁よりも下方に位置づけて開口部の開口上縁と係り合う上下方向に弾性変形可能な弾性爪を設け、
前記カバー部材の側壁の後端部を、上壁の後端部よりも後方に向けて延ばしていることを特徴とする脚付家具。
【請求項１１】
床上に配置され前後に細長な形状をなすベース部に起立部を起立させた脚要素と、ベース部の先端側の側壁を抱くようにして装着される樹脂製のカバー部材とを具備してなるものにおいて、
前記起立部のベース部が延び出す側を向く起立壁の所定高さ位置に開口部を形成するとともに、カバー部材にその後端側の上縁よりも下方に位置づけて開口部の開口上縁と係り合う上下方向に弾性変形可能な弾性爪を設け、
前記カバー部材の上壁に下方に向けて突出するとともにベース部に装着した状態でベース部に突き当たるリブを形成していることを特徴とする脚付家具。
【発明の詳細な説明】
【０００１】
【発明の属する技術分野】
本発明は、脚要素にカバー部材を装着した脚付家具に関するものである。
【０００２】
【従来の技術】
従来より、略水平なベース部とベース部から起立する起立部とからなる例えば側面視Ｌ字形をなす金属製の脚要素を備えた机等の家具において、脚要素の外観の向上を図るためベース部に樹脂製のカバー部材を装着したものが知られている。この種のものには、カバー部材の後端側の上縁よりも後方に向けて突出し上向きに屈曲させた固定爪を設けるとともに、脚要素の前面側に開口部を形成し、固定爪を開口部に係り合わせることによってカバー部材を装着するようにしたものが考えられている。
【０００３】
【発明が解決しようとする課題】
ところが、このようなものでは、後端側の高さが異なるカバー部材を用いて意匠の変更を図ろうとした場合に、カバー部材の固定爪等の高さに対応する開口部を形成した脚要素の起立部をその都度用意する必要があるため、極めて不経済であるという問題がある。このような問題を解消し、一つの起立部で多様な高さ寸法のカバー部材に対応しようとすると、各カバー部材の固定爪の高さ位置に対応する複数の開口部を上下に予め形成しておかなければならず、開口部の高さよりも後端側の上縁が低いカバー部材を使用した場合には、その開口部が露出して、却って外観を損なうこととなる。また、このような構成のものでは、カバー部材を装着する方法は、後端側の固定爪を開口部の開口上縁に係り合わせながら後端を中心にして前端側を上方から下方へ回転させるという方法に限られてしまい、カバー部材の形状に応じた装着方法が選択できないという不具合もある。
【０００４】
【課題を解決するための手段】
本発明は、以上のような諸問題に鑑みて、多様な高さ寸法のカバー部材に対して脚要素の共通化を図るとこができ、カバー部材の装着方法を多様化することもできる脚付家具を構成することとした。
【０００５】
【発明の実施の形態】
すなわち、本発明の脚付家具は、床上に配置され前後に細長な形状をなすベース部に起立部を起立させた脚要素と、ベース部の側壁を抱くようにして装着される樹脂製のカバー部材とを具備してなるものにおいて、前記起立部のベース部が延び出す側を向く起立壁の所定高さ位置に開口部を形成するとともに、カバー部材にその後端側の上縁よりも下方に位置づけて開口部と係り合う弾性爪を設けていることを基本構成とする。
【０００６】
このような構成によると、脚要素の起立部の所定高さ位置に開口部を形成した場合、カバー部材の後端側の上縁よりも低い位置に前記開口部に対応する弾性爪を形成することによって、後端側の高さ寸法が異なるカバー部材においても常に所定の高さ位置に弾性爪を設定することができるので、起立部をその都度取り替えたり不要な開口部を露出させずに共通のものを使用して、種々の高さ寸法を有するカバー部材に対応させることができる。その結果、経済性に優れ外観も良好な脚付家具を構成することが可能となる。また、上述のように弾性爪はカバー部材の後端側の上縁よりも低い位置に設定されているので、従来のように弾性爪を開口部に係り合わせながらカバー部材の後端側を中心に前端側を下方に回転させてカバー部材を装着したり、カバー部材をベース部に対して略平行に降ろしてから起立部側へスライド移動させ弾性爪と開口部とを係り合わせてカバー部材を装着するなど、カバー部材の装着方法の多様化も図ることができる。
また、本発明においては、前記基本構成に加えて、前記弾性爪の上端をカバー部材の後端の上縁よりも下方に位置付けるように構成しても上記と同様の作用効果が得られるものである。
【０００７】
このような前記基本構成に加え、上述した種々の方法に対応して弾性爪と開口部とを適切に係り合わせるようにするため、本発明の脚付家具は、弾性爪が、上下方向に弾性変形可能なものであり、前記開口部の開口上縁と係り合うようにしている。
また、このような弾性爪を所定の高さ位置に適切に設定するとともに、カバー部材自体の形成も容易なものとするため、本発明の脚付家具は、カバー部材を一体成形によりなるものとし、後端部に弾性爪を保持する保持部を下方に向けて形成している。さらに、保持部及び弾性爪の好適な具体的実施形態として、本発明の脚付家具は、保持部が、カバー部材の側壁間において上壁に設けられその上縁よりも後方に後端部を位置づけた一対の側板と、これら側板の後端部間を接続する後板とを具備し、この後板の上端部に、前上方に向けて延びるとともに先端部を前下方に屈曲させた弾性爪を一体に形成している。
【０００８】
また、弾性爪と開口部とを係り合わせてカバー部材を装着した状態で、例えば足でカバー部材を蹴ってしまうなどしても、カバー部材が簡単には外れないようにするために、本発明に係る脚付家具は前記基本構成に加え、弾性爪を開口部に係り合わせた状態で、ベース部とカバー部材との間に、相互に係り合いカバー部材の脱落を防止する抜け止め部を形成していることを特徴としている。
【０００９】
さらに、弾性爪と開口部とが係り合う部位を側方から隠し、外観を良好に維持するために、本発明に係る脚付家具は前記基本構成に加え、カバー部材の側壁の後端部を、上壁の後端部よりも後方に向けて延ばしていることを特徴としている。
また、カバー部材のベース部に対する装着状態をより確実なものとするために、本発明に係る脚付家具は前記基本構成に加え、カバー部材の上壁に下方に向けて突出するとともにその上壁の長手方向に延びベース部に装着した状態でベース部に突き当たるリブを形成することを特徴としている。その場合、カバー部材の装着時にリブがベース部と干渉しないようにするためには、リブの後端を、側面視部分円弧状に湾曲させていることが好ましい。
【００１０】
【実施例】
以下、本発明の一実施例を、図面を参照して説明する。
この実施例は、図１及び図２に示すように、床Ｆ上に配置され前後に細長な形状のベース部２と、このベース部２の後端２ｂ側に略垂直に起立させた起立部３とを具備してなる脚要素１によって天板５を支持し、そのベース部２のうち起立部３から前端２ａ側へ延び出した部位に上方からカバー部材４を装着するようにした脚付家具たる机である。
【００１１】
ベース部２は、図２〜図５に示すように、底壁２１と、側壁２２と、上壁２３とを一体成形してなる板金製のもので、上壁２３の巾方向略中央部を長手方向に沿って開口させている。そして、このベース部２の左右の側壁２２の下端部に、前後方向に位置を異ならせて切り欠いた一対の凹部２４を形成している。また、底壁２１における前端２ａ及び後端２ｂの各近傍に、アジャスタ装着用のナット部２５を形成し、これらのナット部２５に下面側からアジャスタ２６を装着するようにしている。
【００１２】
起立部３は、図２〜図４に示すように、板金素材をプレス加工することにより、前壁３１と、後壁３２と、側壁３３とを偏平箱状に一体形成してなるもので、必要に応じて内部に強度のある骨格材等を収容したものである。この起立部３は、側壁３３間にベース部２の後端２ｂ側を進入させるとともに適宜箇所を溶接等することによりベース部２に起立状態で取り付けられ、取付状態において、側壁３３の下縁がベース部２の側壁２２を外側から抱く位置に配置され、前壁３１の下縁がベース部２の上壁２３の上面に突き当たる位置に配置される。そして、その前壁３１の下縁の巾方向略中央部に、前記ベース部２の上壁２３間の開口と略同巾をなす矩形状の開口部３４を形成している。
【００１３】
一方、カバー部材４は、図２〜図６に示すように、前記ベース部２のうち起立部３よりも前端２ａ側に延び出す部位に装着される。すなわち、このカバー部材４は、緩く前傾する上壁４１と、側壁４２と、前壁４３とを一体成形してなる合成樹脂製のもので、外力を加えない状態で側壁４２同士が図８に想像線で示すようにやや内倒れの状態になるように構成されており、底壁がないために側壁４２に内側から外力が作用すると弾性によりその側壁４２が少なくとも同図中実線で示す略垂直な位置まで拡がるようになっている。また、このカバー部材４の上壁４１の後端部４１ａには、その上縁４１ｂよりも低い位置に上壁４１に一体に設けた保持部４５に保持させて弾性爪４４を設けている。保持部４５は、カバー部材４の側壁４２間において、上壁４１の後端部４１ａから下方に向けて突出させた一対の側板４５ａと、これら側板４５ａの後端間を接続する位置に配置される後板４５ｂとを具備し、側板４５ａの後端を、上壁４１の後端よりも後方に位置づけている。そして、後板４５ｂの上端に、前記側板４ａ間において上前方に傾斜して延びる弾性爪４４を上下方向に弾性変形可能に一体に設けている。この弾性爪４４の先端部４４ａは、前記起立部３の開口部３４と係り合う際に、その開口上縁３４ａを受けるべく前下方へ屈曲させている。また、このカバー部材４の側壁４２の後端部４２ａを、上壁４１の後端部４１ａよりも後方に延ばし、側方から見て前記保持部４５及び弾性爪４４が隠れるように設定しており、カバー部材４の装着状態で、前記起立部３の側壁３３の前端側を外側から抱くようにしている。その際、後方からカバー部材４の側壁４２を足で蹴ることがないように、その側壁４２の後縁部に丸みを持たせるように形成し、起立部３の側壁３３と滑らかに連続するようにしている。さらに、この側壁４２の内面には、前記ベース部２の凹部２４に対応する位置にそれぞれ内方に向けて突出する突部４６が設けてあり、カバー部材４をベース部２に装着した際に、その突部４６を凹部２４に係り合わせるようにしている。すなわち、これら凹部２４と突部４６とは、装着時におけるカバー部材４の脱落を防止する抜け止め部Ｘを構成するものである。また、このカバー部材４の上壁４１には、装着時にベース部２の上壁２３の上面に突き当たるように下方に向けて突出させた一対の薄肉のリブ４７を、前記保持部４５の両側方において前後方向に延びるように設けている。このリブ４７の後端４７ａは、側面視部分円弧状となるように湾曲させている。なお、このリブ４７の強度を維持するために、前後方向の複数箇所において、このリブと直交する方向に設定した補助リブ４８を設けている。
【００１４】
以下、図５〜図７を参照して本実施例においてベース部２にカバー部材４を装着する手順について説明する。まず、カバー部材４を、図５に一点鎖線で示すように、下端部を内側から押し拡げながらベース部２に対して略水平に下方に降ろす。このとき、ベース部２の上壁２３間に設けた開口が経過的に弾性爪４４及び保持部４５の逃げになる。次に、カバー部材４を後方にスライド移動し、弾性爪４４及び保持部４５を起立部３の開口部３４に順次挿入していく。その際、図６に拡大して示すように、弾性爪４４の上前方に傾斜する傾斜面４４ｂが開口部３４の開口上縁３４ａに当り、弾性爪４４が下方に弾性変形する。そして、その傾斜面４４ｂが開口部３４を通過し終わると、弾性爪４の弾性復元力によって先端部４４ａが上動し開口部３４の開口上縁３４ａを下方から受けて係り合うこととなる。この状態でベース部２の凹部２４とカバー部材４の突部４６とが係り合い、装着状態のカバー部材４の上方及び前方への抜け出しが防止される。
【００１５】
一方、装着したカバー部材４を取り外す際には、図５に二点鎖線で示すように、抜け止め部Ｘを構成する凹部２４と突部４６との係り合いを解除するようにカバー部材４の左右の側壁４２をさらに押し拡げ、起立部３の前壁３１に当てたカバー部材４の上壁４１の後端を支点にして前端側を持ち上げて回転させれば、弾性爪４４と開口部３４との係り合いが解除され、そのままカバー部材４を取り外すことができる。なお、カバー部材４を装着する際には、この取り外し操作と逆の操作によっても行うことができる。すなわち、カバー部材４を後傾させ、弾性爪４４及び保持部４５を開口部３４に挿入して、弾性爪４４を開口上縁３４ａに下方から係り合わせる。その際、カバー部材４の後傾角度を大きくし、その後端側を後方に大きくスウィングさせて弾性爪４４を開口部３４に係り合わせるようにしても、リブ４７の後端４７ａを部分円弧状に湾曲させているので、リブ４７がベース部２の上壁２３と干渉するのを防止することができる。そして、カバー部材４の上壁４１の後端を支点に、てこの作用により前端側を押し下げると、カバー部材４の側壁４２が順次外方へ押し拡げられ、所定位置でカバー部材４の突部４６とベース部２の凹部２４とが係り合い、カバー部材４の装着が完了する。
【００１６】
以上のような構成からなる本実施例は、脚要素１の起立部３の所定高さ位置に設けた開口部３４に、カバー部材４の後端側の上縁４１ｂよりも低い位置に設けた弾性爪４４を係り合わせることによって、カバー部材４をベース部２に外方から抱くようにして装着しているので、上述のようにカバー部材４の装着方法の多様化を図ることができる。また、図８に示すように、カバー部材１４０の後端側の高さが異なるものを装着して、意匠変更を行う際にも、弾性爪１４４は、保持部１４５を前記実施例よりも低い位置まで延ばすことによって、カバー部材１４０の上壁１４１の後端部１４１ａの上縁１４１ｂよりも低い位置に起立部３の開口部３４に対応させて設けることができるため、起立部３を取り替えたり、起立部３にカバー部材４の高さ寸法に応じた複数の開口部３４を設けるという不具合を解消し、コストの削減や外観の向上を図りつつ、上述のものと同様の方法によって、カバー部材４の着脱を行うことができる。
【００１７】
また、弾性爪４４を上下方向に弾性変形するように構成し、開口部３４の開口上縁３４ａと係り合うようにしているので、上述のようなカバー部材４のいずれの装着方法にも対応して、弾性爪４４と開口部３４とを容易に係り合わせることが可能である。
さらに、このカバー部材４は、合成樹脂一体成形によるものであるため、形成が容易でコストを低減できるだけでなく、その後端部に弾性爪４４を保持する保持部４５を下方に向けて形成しているため、上述のように有用な弾性爪４４を所定の高さ位置に容易に設定することができる。
【００１８】
さらにまた、この保持部４５は、カバー部材４の側壁４２間において上壁４１に設けられ該上壁４１の後端部４１ａよりも後方に後端を位置づけた一対の側板４５ａと、その側板４５ａの後端部間を接続する後板４５ｂとを具備するものであり、この後板４５ｂの上端部に、前上方に向けて傾斜して延びるとともに先端部４４ａを前下方に屈曲させた弾性爪４４を一体に設けているので、弾性爪４４を、所定位置に容易に位置づけられるだけでなく、上下方向へ弾性変形も容易なものとすることができる。
【００１９】
また、ベース部２とカバー部材４との間には、相互に係り合うようにそれぞれに設けた凹部２４と突部４６とからなる抜け止め部Ｘを形成しているので、カバー部材４を装着した状態で、足でカバー部材４を蹴るなどしても、カバー部材４の抜け出しを有効に防止することができる。
さらに、カバー部材４の側壁４２の後端部４２ａを上壁４１の後端部４１ａよりも後方に向けて延ばしているので、弾性爪４４と開口部３４とが係り合う部位や、カバー部材４とベース部２と継ぎ目あるいはベース部２と起立部３との継ぎ目を側方から有効に隠し、外観を良好に維持することができる。
【００２０】
また、カバー部材４の上壁４１に長手方向に延びるリブ４７を形成し、カバー部材４をベース部２に装着した状態でそのリブ４７がベース部２の上壁２３に突き当たるようにしているので、カバー部材４の装着状態におけるガタつきを防止することができる。さらに、そのリブ４７の後端４７ａを側面視部分円弧状に湾曲させているので、上述したように、リブ４７がベース部２と干渉せずスムーズな装着作業を行うことができる。
【００２１】
なお、本発明は、上記実施例に限られず、例えばベース部の長手方向略中央部に起立部を設けた側面視Ｔ字形をなす脚要素に同様のカバー部材を装着する場合にも有用なものである。また、家具としては、机以外にも、ラックや椅子等、種々のものに適用することも可能である。その他、各部の具体的構成についても上記実施例に限られず、本発明の趣旨を逸脱しない範囲で種々変形が可能である。
【００２２】
【発明の効果】
本発明は、以上説明したような形態で実施され、以下に記載されるような効果を奏する。
すなわち、本発明の脚付家具は、細長なベース部に起立部を起立させた例えば金属製の脚要素に、樹脂製のカバー部材をベース部の側壁を抱くようにして装着するようにしたものであって、前記起立部の所定高さ位置に形成した開口部に、カバー部材の後端側の上縁よりも下方に位置づけ設けた弾性爪を係り合わせることを基本構成とし、詳細には、前記弾性爪の上端をカバー部材後端の上縁よりも下方に位置付けて開口部と係り合わせるようにしている。したがって、カバー部材が、後端側の上縁の高さが異なるものであっても、それよりも低い位置において開口部と係り合う弾性爪を形成することで、従来のもののようにカバー部材に対応する開口部を有する起立部をその都度用意する必要がなく、共通の起立部を使用することができるので、経済性を極めて向上することができる。また、このような構成によれば、起立部にカバー部材の高さに対応する複数の開口部を設ける必要もないので、不要な開口部が露出することがなく、外観を良好に維持することもできる。さらに、カバー部材の後端側の上縁の高さ位置と弾性爪の高さ位置との差の大小によっては、弾性爪を開口部に係り合わせながらカバー部材の後端側を中心に前端側を下方に回転させてカバー部材を装着したり、あるいは、カバー部材をベース部に対して略平行に降ろしてから起立部側へスライド移動させて弾性爪と開口部とを係り合わせてカバー部材を装着するなど、カバー部材の装着方法を多様化して、必要に応じた装着方法を選択することができる。
【００２３】
また、弾性爪が、上下方向に弾性変形し、起立壁の開口部の開口上縁と係り合うようにしているので、上述したカバー部材の種々の装着方法に対応して、弾性爪と開口部とを容易に係り合わせることができる。
さらに、合成樹脂一体成形によりカバー部材を形成し、その後端部に弾性爪を保持する保持部を下方に向けて形成しているので、必要な弾性爪を所定の高さ位置に容易に設けることができ、カバー部材自体も容易に形成することができる。具体的には、保持部を、カバー部材の側壁間において上壁に設けた一対の側板と、上壁の上縁よりも後方に位置づけたその側板の後端部間を接続する後板とを具備するものとし、この後板の上端部に弾性爪を一体に設けて、弾性爪を前上方に向けて延びるとともに先端部を前下方に屈曲させているので、弾性爪を、上壁の後縁よりも下方に位置づけることが容易であるだけでなく、上下方向へ容易に弾性変形させることができる。
【００２４】
また、ベース部とカバー部材との間に、相互に係り合う抜け止め部を形成しているので、弾性爪を開口部に係り合わせてカバー部材を装着した状態で、例えば足でカバー部材を蹴るなどしても、カバー部材が簡単には外れないようにしてカバー部材の脱落を防止することが可能である。
さらに、カバー部材の側壁の後端を上壁の後端部よりも後方に向けて延ばしているので、弾性爪と開口部とが係り合う部位を有効に隠し、外観を良好なものとすることができる。
【００２５】
また、カバー部材の上壁に下方に向けて突出し上壁の長手方向に延びるリブを形成し、カバー部材をベース部に装着した状態でそのリブがベース部に突き当たるようにしているので、カバー部材の装着状態をより確実なものとすることができる。そしてそのリブの後端を側面視部分円弧状に湾曲させる場合には、例えば前端部を上にしてカバー部材を大きく傾けて装着する際に、リブがベース部と干渉しないようにしてスムーズに装着することができる。
【図面の簡単な説明】
【図１】本発明の一実施例を示す斜視図。
【図２】同一部を省略して示す右側面図。
【図３】同要部を拡大して示す分解斜視図。
【図４】図３に対応する後方分解斜視図。
【図５】同実施例の作用を説明する断面図。
【図６】図６の要部を拡大して示す作用説明図。
【図７】図２におけるＶＩＩ−ＶＩＩ線拡大端面図。
【図８】本発明の変形例を図６に対応して示す断面図。
【符号の説明】
１…脚要素
２…ベース部
３…起立部
４、１４０…カバー部材
３１…起立壁（前壁）
３４…開口部
３４ａ…開口上縁
４１、１４１…上壁
４１ａ、１４１ａ…後端部
４１ｂ、１４１ｂ…上縁
４２…側壁
４２ａ…後端部
４４、１４４…弾性爪
４５、１４５…保持部
４５ａ…側板
４５ｂ…後板
Ｘ…抜け止め部
【図１】
0003578025.tif 000002
【図２】
0003578025.tif 000003
【図３】
0003578025.tif 000004
【図４】
0003578025.tif 000005
【図５】
0003578025.tif 000006
【図６】
0003578025.tif 000007
【図７】
0003578025.tif 000008
【図８】
0003578025.tif 000009